【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
ストリームデータを管理するストリーム管理情報ファイルと、前記ストリーム管理情報ファイルに含まれるストリーム管理情報に基づいて前記ストリームデータの再生を指定する再生指定情報ファイルとを記録する記録手段
を有し、
前記記録手段は、前記ストリーム管理情報ファイルを、前記ストリーム管理情報ファイルが管理する前記ストリームデータを格納したストリームファイルと対応して記録する
情報処理装置。
【請求項２】
前記記録手段は、１以上の前記ストリームファイルとそれぞれ１対１に対応した、１以上の前記ストリーム管理情報ファイルを記録する
請求項１に記載の情報処理装置。
【請求項３】
前記再生指定情報ファイルに含まれる再生指定情報は、１以上の前記ストリーム管理情報ファイルに含まれる前記ストリーム管理情報に基づいて、前記ストリーム管理情報ファイルに対応した１以上の前記ストリームデータの再生を指定する
請求項１または２に記載の情報処理装置。
【請求項４】
前記ストリーム管理情報ファイルは、前記ストリーム管理情報として、プレゼンテーションタイムスタンプと、それに対応するアクセスユニットを構成するストリームデータのアドレスとのペアを有するアドレステーブルを含む
請求項１に記載の情報処理装置。
【請求項５】
前記ストリーム管理情報ファイルは、前記ストリーム管理情報として、前記ストリームデータを構成するソースパケットのシステム時間上の不連続点を示す不連続点情報を含む
請求項１に記載の情報処理装置。
【請求項６】
前記再生指定情報ファイルに含まれる再生指定情報は、前記ストリームデータの再生区間を指定する再生区間情報を含み、
前記再生区間情報は、前記不連続点情報を参照するための識別情報を有する
請求項５に記載の情報処理装置。
【請求項７】
前記再生指定情報ファイルに含まれる再生指定情報は、前記ストリームデータの再生区間を指定する再生区間情報と、前記ストリームデータとともに再生される他のストリームデータの前記再生区間を指定する副再生区間情報を含む
請求項１に記載の情報処理装置。
【請求項８】
前記記録手段は、前記再生指定情報ファイルに含まれる再生指定情報として、前記再生指定情報が指定するストリーム部分を共有する第１の再生指定情報、及び／又は、前記ストリームデータを共有しない第２の再生指定情報を記録する
請求項１に記載の情報処理装置。
【請求項９】
ストリームデータを管理するストリーム管理情報ファイルと、前記ストリーム管理情報ファイルに含まれるストリーム管理情報に基づいて前記ストリームデータの再生を指定する再生指定情報ファイルとを記録する記録ステップ
を含み、
前記記録ステップの処理は、前記ストリーム管理情報ファイルを、前記ストリーム管理情報ファイルが管理する前記ストリームデータを格納したストリームファイルと対応して記録する
情報処理方法。
【請求項１０】
コンピュータに、
ストリームデータを管理するストリーム管理情報ファイルと、前記ストリーム管理情報ファイルに含まれるストリーム管理情報に基づいて前記ストリームデータの再生を指定する再生指定情報ファイルとを記録する記録ステップ
を実行させるためのプログラムであって、
前記記録ステップの処理は、前記ストリーム管理情報ファイルを、前記ストリーム管理情報ファイルが管理する前記ストリームデータを格納したストリームファイルと対応して記録する
プログラムを記録するコンピュータ読み取り可能な記録媒体。
【請求項１１】
コンピュータに、
ストリームデータを管理するストリーム管理情報ファイルと、前記ストリーム管理情報ファイルに含まれるストリーム管理情報に基づいて前記ストリームデータの再生を指定する再生指定情報ファイルとを記録する記録ステップ
を実行させるためのプログラムであって、
前記記録ステップの処理は、前記ストリーム管理情報ファイルを、前記ストリーム管理情報ファイルが管理する前記ストリームデータを格納したストリームファイルと対応して記録する
プログラム。
【請求項１２】
ストリームデータを管理するストリーム管理情報ファイルと、前記ストリーム管理情報ファイルに含まれるストリーム管理情報に基づいて前記ストリームデータの再生を指定する再生指定情報ファイルとの記録を制御する記録制御手段
を有し、
前記記録制御手段は、前記ストリーム管理情報ファイルを、前記ストリーム管理情報ファイルが管理する前記ストリームデータを格納したストリームファイルと対応して記録させる
制御装置。
【請求項１３】
ストリームデータを再生する情報処理装置であって、
前記ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得手段と、
前記再生指定情報ファイルに含まれる再生指定情報に基づいて前記ストリームデータを再生する再生手段と
を有する情報処理装置。
【請求項１４】
ストリームデータを再生する情報処理装置の情報処理方法であって、
前記ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得ステップと、
前記再生指定情報ファイルに含まれる再生指定情報に基づいて前記ストリームデータを再生する再生ステップと
を含む情報処理方法。
【請求項１５】
ストリームデータを再生する情報処理装置を制御するコンピュータに、
前記ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得ステップと、
前記再生指定情報ファイルに含まれる再生指定情報に基づいて前記ストリームデータを再生する再生ステップと
を実行させるためのプログラムを記録するコンピュータ読み取り可能な記録媒体。
【請求項１６】
ストリームデータを再生する情報処理装置を制御するコンピュータに、
前記ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得ステップと、
前記再生指定情報ファイルに含まれる再生指定情報に基づいて前記ストリームデータを再生する再生ステップと
を実行させるためのプログラム。
【請求項１７】
ストリームデータの再生を制御する制御装置であって、
前記ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得手段と、
前記再生指定情報ファイルに含まれる再生指定情報に基づいて前記ストリームデータの再生を制御する再生制御手段と
を有する制御装置。
【請求項１８】
ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを有するデータ構造のデータが記録された記録媒体であって、
前記データ構造のデータを取得した情報処理装置により、
前記再生指定情報ファイルに含まれる再生指定情報に基づいて前記ストリームデータが再生される
データ構造のデータが記録された記録媒体。
【手続補正２】
【補正対象書類名】明細書
【補正対象項目名】発明の名称
【補正方法】変更
【補正の内容】
【発明の名称】情報処理装置、情報処理方法、記録媒体、およびプログラム、並びに制御装置
【手続補正３】
【補正対象書類名】明細書
【補正対象項目名】０００１
【補正方法】変更
【補正の内容】
【０００１】
本発明は情報処理装置、情報処理方法、記録媒体、およびプログラム、並びに制御装置に関し、特に、GUIなどに説明表示する情報、主の再生経路の情報、副の再生経路の情報、主の再生経路を構成する個々の再生区間の間の接続情報、ユーザが所望したシーンにセットするブックマークやリジューム点の情報などの情報を含むファイルを記録する情報処理装置、情報処理方法、記録媒体、およびプログラム、並びに制御装置に関する。
【手続補正４】
【補正対象書類名】明細書
【補正対象項目名】００１０
【補正方法】変更
【補正の内容】
【００１０】
本発明の第１の側面の情報処理装置は、ストリームデータを管理するストリーム管理情報ファイルと、前記ストリーム管理情報ファイルに含まれるストリーム管理情報に基づいて前記ストリームデータの再生を指定する再生指定情報ファイルとを記録する記録手段を有し、前記記録手段は、前記ストリーム管理情報ファイルを、前記ストリーム管理情報ファイルが管理する前記ストリームデータを格納したストリームファイルと対応して記録する。
【手続補正５】
【補正対象書類名】明細書
【補正対象項目名】００１９
【補正方法】変更
【補正の内容】
【００１９】
本発明の第１の側面の記録媒体、またはプログラムは、コンピュータに、ストリームデータを管理するストリーム管理情報ファイルと、前記ストリーム管理情報ファイルに含まれるストリーム管理情報に基づいて前記ストリームデータの再生を指定する再生指定情報ファイルとを記録する記録ステップを実行させるためのプログラムであって、前記記録ステップの処理は、前記ストリーム管理情報ファイルを、前記ストリーム管理情報ファイルが管理する前記ストリームデータを格納したストリームファイルと対応して記録するプログラムを記録したコンピュータ読み取り可能な記録媒体、またはプログラムである。
【手続補正６】
【補正対象書類名】明細書
【補正対象項目名】００２０
【補正方法】変更
【補正の内容】
【００２０】
本発明の第１の側面の制御装置は、ストリームデータを管理するストリーム管理情報ファイルと、前記ストリーム管理情報ファイルに含まれるストリーム管理情報に基づいて前記ストリームデータの再生を指定する再生指定情報ファイルとの記録を制御する記録制御手段を有し、前記記録制御手段は、前記ストリーム管理情報ファイルを、前記ストリーム管理情報ファイルが管理する前記ストリームデータを格納したストリームファイルと対応して記録させる。
【手続補正７】
【補正対象書類名】明細書
【補正対象項目名】００２２
【補正方法】変更
【補正の内容】
【００２２】
本発明の第２の側面の情報処理装置は、ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得手段と、前記再生指定情報ファイルに含まれる再生指定情報に基づいて前記ストリームデータを再生する再生手段とを有する。
【手続補正８】
【補正対象書類名】明細書
【補正対象項目名】００２３
【補正方法】変更
【補正の内容】
【００２３】
本発明の第２の側面の情報処理方法は、ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得ステップと、前記再生指定情報ファイルに含まれる再生指定情報に基づいて前記ストリームデータを再生する再生ステップとを含む。
【手続補正９】
【補正対象書類名】明細書
【補正対象項目名】００２４
【補正方法】変更
【補正の内容】
【００２４】
本発明の第２の側面の記録媒体、またはプログラムは、ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得ステップと、前記再生指定情報ファイルに含まれる再生指定情報に基づいて前記ストリームデータを再生する再生ステップとをコンピュータに実行させるためのプログラムを記録したコンピュータ読み取り可能な記録媒体、またはコンピュータに実行させるためのプログラムである。
【手続補正１０】
【補正対象書類名】明細書
【補正対象項目名】００２５
【補正方法】変更
【補正の内容】
【００２５】
本発明の第２の側面の制御装置は、ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを取得する取得手段と、前記再生指定情報ファイルに含まれる再生指定情報に基づいて前記ストリームデータの再生を制御する再生制御手段とを有する。
【手続補正１１】
【補正対象書類名】明細書
【補正対象項目名】００２７
【補正方法】変更
【補正の内容】
【００２７】
本発明の第３の側面の記録媒体は、ストリームデータを管理するストリーム管理情報を含む、前記ストリームデータに対応したストリーム管理情報ファイルと、前記ストリーム管理情報に基づいて前記ストリームデータの再生を指定する再生指定情報ファイルとを有するデータ構造のデータが記録された記録媒体であって、前記データ構造のデータを取得した情報処理装置により、前記再生指定情報ファイルに含まれる再生指定情報に基づいて前記ストリームデータが再生される。
【手続補正１２】
【補正対象書類名】明細書
【補正対象項目名】００２８
【補正方法】変更
【補正の内容】
【００２８】
本発明の第３の側面においては、データ構造のデータを取得した情報処理装置により、再生指定情報ファイルに含まれる再生指定情報に基づいてストリームデータが再生される。